(57)【要約】【課題】袋体の内部の余分なスペースを低減できると共に、袋体と別体の部品を用いる必要がない、袋体の開閉構造を提供すること。【解決手段】食パン１を収容する中空直方体状の袋体１０の一側面に設けた開口部を開閉するための開閉構造であって、袋体１０の底面１１から開口部１２に至る隅部に、当該隅部に沿った板状の可撓性のリブ２０を設けた。例えば、リブ２０は、食パン１の側方に位置する基部２１と、食パン１の上縁近傍位置から開口部側に位置する先端部２２とを一体に備え、基部２１の剛性を先端部２２の剛性より高くした。【選択図】図４
2009179367.tif 000002
【特許請求の範囲】
【請求項１】
対象物を収容する中空直方体状の袋体の一側面に設けた開口部を開閉するための開閉構造であって、
前記袋体の底部から前記開口部に至る隅部に、当該隅部に沿った板状の可撓性のリブを設けたこと、
を特徴とする袋体の開閉構造。
【請求項２】
前記リブは、前記対象物の側方に位置する基部と、前記対象物の上縁近傍位置から前記開口部側に位置する先端部とを、一体に備え、
前記基部の剛性を、前記先端部の剛性より高くしたこと、
を特徴とする請求項１に記載の袋体の開閉構造。
【請求項３】
前記リブを、前記袋体の四隅部の各々に設けたこと、
を特徴とする請求項１又は２に記載の袋体の開閉構造。
【請求項４】
前記袋体の外側面に、当該袋体の開口端部を挿脱自在に挟持可能な挟持タブを設けたこと、
を特徴とする請求項１から３のいずれか一項に記載の袋体の開閉構造。
【請求項５】
前記挟持タブは、前記袋体の前記外側面に固着された基板と、当該基板から外側に立ち上げられた弾性体であって当該基板との間に前記開口端部を挟持可能な挟持板とを、一体に備えること、
を特徴とする請求項４に記載の袋体の開閉構造。
【発明の詳細な説明】
【技術分野】
【０００１】
本発明は、食品の如き対象物を収容するための袋体の開口部を開閉するための開閉構造に関する。
【背景技術】
【０００２】
食パンの如き食品はビニール製の包装用の袋体に収容された状態で販売されることが多い。このような食品を購入した消費者は、袋体の開封後、食品を全て食べ終えるまでの間は、袋体の開口部を閉じることで食品の劣化を防止している。このように開封後の袋体を閉じる際の簡便性を高めるため、従来、各種の開閉構造が提案されている。例えば特許文献１には、包装体の開口部近傍の外表面に封止ラベルを接着することにより、開口部を閉じることができる構造が開示されている。
【０００３】
【特許文献１】特開２０００−３２６９９４号公報
【発明の開示】
【発明が解決しようとする課題】
【０００４】
しかしながら、従来の袋体の開閉構造は、開口端部を巻き上げたり絞ったりして閉じる構造であったので、十分な綴じ代を確保するためには開口端部を食品から離れる方向に持ち上げる必要があり、食品と開口端部との間にスペースが生じ易いため、このスペースに入った空気が食品に触れることは防止できず、食品の劣化防止に問題があった。
【０００５】
また、袋体とは別体の封止ラベルや固定タブを用いて固定を行っていたので、これら封止ラベルや固定タブを紛失等する可能性があったり、特に封止ラベルを用いた場合にはこの封止ラベルの粘着力が時間経過や着脱回数に伴って低下して封止ができなくなり、袋体の固定を確実に行うことができなくなる可能性があった。
【０００６】
本発明は、上記に鑑みてなされたものであって、袋体の内部の余分なスペースを低減できると共に、袋体と別体の部品を用いる必要がない、袋体の開閉構造を提供することを目的とする。
【課題を解決するための手段】
【０００７】
上述した課題を解決し、目的を達成するために、請求項１に記載の本発明は、対象物を収容する中空直方体状の袋体の一側面に設けた開口部を開閉するための開閉構造であって、前記袋体の底部から前記開口部に至る隅部に、当該隅部に沿った板状の可撓性のリブを設けたことを特徴とする。
【０００８】
請求項２に記載の本発明は、請求項１に記載の本発明において、前記リブは、前記対象物の側方に位置する基部と、前記対象物の上縁近傍位置から前記開口部側に位置する先端部とを、一体に備え、前記基部の剛性を、前記先端部の剛性より高くしたことを特徴とする。
【０００９】
請求項３に記載の本発明は、請求項１又は２に記載の本発明において、前記リブを、前記袋体の四隅部の各々に設けたことを特徴とする。
【００１０】
請求項４に記載の本発明は、請求項１から３のいずれか一項に記載の本発明において、前記袋体の外側面に、当該袋体の開口端部を挿脱自在に挟持可能な挟持タブを設けたことを特徴とする。
【００１１】
請求項５に記載の本発明は、請求項４に記載の本発明において、前記挟持タブは、前記袋体の前記外側面に固着された基板と、当該基板から外側に立ち上げられた弾性体であって当該基板との間に前記開口端部を挟持可能な挟持板とを、一体に備えることを特徴とする。
【発明の効果】
【００１２】
請求項１に記載の本発明によれば、消費者がリブを任意に折り曲げることができると共に、この折り曲げ後の形状にてリブが保持されるので、開口端部を閉じるようにリブを折り曲げることで、この閉鎖状態が維持される。特に、リブを袋体の隅部に設けたので、対象物の側辺に沿った位置でリブを折り曲げることで、従来のように綴じ代を確保するために開口端部を対象物から離れる方向に持ち上げる必要がなくなり、対象物と開口端部との間に生じていたスペースを低減できるので、対象物の保存性を高めることで、この対象物の劣化を防止できる。また、リブを袋体に固着したので、リブを紛失することがなくなり、袋体を確実に固定することができる。
【００１３】
請求項２に記載の本発明によれば、対象物の側方には比較的剛性の高い基部が配置されているので、袋体を折り曲げる場合であっても対象物は基部によって保護されるので、対象物の保存性を一層高めることができる。特に、基部と先端部との間に剛性差を設けているので、消費者がリブを折り曲げる際、リブに力を加えること、基部と先端部との境界位置を支点として先端部が折り曲がるため、リブの折り曲げ位置を容易に設定できる。そして、この境界位置を対象物の上縁近傍位置とすることで、先端部を折り曲げた状態では、対象物の上縁に袋体の開口端部を沿わせることができ、対象物と開口端部との間に生じていたスペースを効果的に低減できる。
【００１４】
請求項３に記載の本発明によれば、リブを袋体の四隅部の各々に設けたので、対象物が四方から基部に囲繞されることになり、袋体を折り曲げる場合であっても対象物が基部によって保護されるので、対象物の保存性を一層高めることができる。
【００１５】
請求項４に記載の本発明によれば、袋体の開口端部を挿脱自在に挟持可能な挟持タブを設けたので、リブを介して折り曲げた袋体の状態を挟持タブにて維持でき、対象物の保存性を一層高めることができる。
【００１６】
請求項５に記載の本発明によれば、挟持タブは、基板と、基板から外側に立ち上げられた弾性体であって当該基板との間に開口端部を挟持可能な挟持板とを備えるので、挟持板の弾性力を用いて袋体の開口端部を容易に挟持させることができる。また、袋体に固着された基板と、挟持板とを一体に備えるので、挟持タブを紛失することがなくなり、袋体を確実に固定することができる。
【発明を実施するための最良の形態】
【００１７】
以下に添付図面を参照して、この発明に係る袋体の開閉構造の実施の形態を詳細に説明する。まず、〔I〕本実施の形態の基本的概念を説明した後、〔II〕本実施の形態の具体的内容について説明し、〔III〕最後に、本実施の形態に対する変形例について説明する。ただし、本実施の形態によって本発明が限定されるものではない。
【００１８】
〔I〕本実施の形態の基本的概念
まず、本実施の形態の基本的概念について説明する。本実施の形態に係る袋体の開閉構造は、対象物を収容するための袋体の開口部を開閉するための構造である。対象物の具体的内容は任意であり、例えば、菓子類や食パンの如き食品や、空気と接触させることが好ましくない薬品や化学材料を挙げることができ、以下では食パンを収容する場合について説明する。
【００１９】
袋体は、概略的には、中空直方体状に構成され、その一側面に設けた開口部から食パンを出し入れすることができる。この袋体は、食パンを収容した状態で当該食パンと同時に取引される場合の他、食パンとは別個に、袋体自体で取引対象になるものを含む。
【００２０】
本実施の形態に係る袋体の開閉構造の特徴の一つは、概略的には、袋体に固着したリブを用いて、開口端部を閉じることにある。このリブは、可撓性を備え、消費者が任意に折り曲げることができると共に、この折り曲げ後の形状にてリブが保持されるので、開口端部を閉じるようにリブを折り曲げることで、この閉鎖状態が維持される。特に、リブを袋体の隅部に設けたので、食パンの側辺に沿った位置でリブを折り曲げることで、従来のように綴じ代を確保するために開口端部を食パンから離れる方向に持ち上げる必要がなくなり、食パンと開口端部との間に生じていたスペースを低減できるので、食パンの劣化を防止できる。また、リブを袋体に固着したので、リブを紛失することがなくなり、袋体を確実に固定することができる。
【００２１】
〔II〕本実施の形態の具体的内容
次に、本実施の形態の具体的内容について説明する。なお、以下の説明では、袋体の底部から開口部に至る方向を上方（又は縦方向）、開口部から底部に至る方向を下方（又は縦方向）、これら上方や下方に直交する方向を側方（又は横方向）と称する。
【００２２】
（全体構成）
本実施の形態について説明する。図１は、本発明の実施の形態に係る食パンを収容した袋体の販売状態における斜視図である（なお、図１及び後述する図２〜図６においては、袋体は透明であるものとし、図示の便宜上、袋体の内部に収容されている食パン及びリブについても実線で示す）。袋体１０の内部には１斤の食パン１が収容されている。食パン１は、横長の直方体状に構成されており、その長手方向に直交する切断面によって複数にスライスされている。袋体１０は、透明樹脂から中空直方体状に構成されている。袋体１０の底面１１から上方に至る内部空間は食パン１に略対応する横長の直方体状であり、この内部空間に食パン１を収容することができる。袋体１０の一側面（ここでは上端面）の全面は開口部１２（図２にのみ図示）とされており、この開口部１２を介して、袋体１０の内部に食パン１を出し入れすることができる。以下、袋体１０の各部のうち、開口部１２及びその周辺部を開口端部１３と称する。
【００２３】
ここで、袋体１０の底面１１から開口部１２に至る四隅部の各々にはリブ２０が設けられている。このリブ２０は、縦長板状体であり、軽金属や樹脂の如き可撓性材料から構成されている。このリブ２０は、食パン１のスライス面に直交する面（袋体１０の正面１４）に沿う向きで、袋体１０の熱溶着や接着等にて固定されている。このリブ２０は、当該リブ２０が袋体１０から外部に突出等しないためには袋体１０の内面に固定することが好ましいが、袋体１０の外面に固定することもでき、あるいは、袋体１０を構成する樹脂の内部に埋設することもできる。ただし、リブ２０を袋体１０の内面に固定する場合には、当該リブ２０が食パン１に直接接触することによる食品衛生上の問題が生じないように、当該リブ２０を食品衛生法にて許容されている材料にて構成する。
【００２４】
図２は開口部１２の開放中の状態を示す袋体１０の斜視図、図３は開口部１２の閉鎖中の状態を示す袋体１０の斜視図、図４は開口部１２の閉鎖後の状態を示す袋体１０の斜視図である。これら各図に示すように、このようにリブ２０を設けたことで、このリブ２０を必要に応じて適切な箇所で折り曲げることで、開口部１２を閉じた状態で袋体１０の形状を保持できる。特に、従来のように別体の部品を用いる必要がないので、部品を紛失等する懸念がなく、開口部１２を確実に閉じることができる。
【００２５】
図５は、リブ２０を示す図であり、（ａ）は正面図、（ｂ）は側面図である。このリブ２０は、基部２１と先端部２２とを一体に備えて構成されている。基部２１は、底面１１から食パン１の上縁部近傍に至る範囲に配置されている。すなわち、基部２１は、食パン１の高さと略同一の長さに形成され、その下端が底面１１に位置するように配置されている。この基部２１は、先端部２２に比べて高い剛性を有し、折り曲げ難いように構成されている。従って、袋体１０に対して外力が加わった場合であっても、袋体１０が基部２１によって支持されることで食パン１を収容する内部空間が確保され、食パン１が潰れることを防止できる。このように基部２１の剛性を高めるための具体的構造は任意であるが、ここでは、基部２１を先端部２２よりも広幅状に形成することで所望の剛性を確保している。この他にも、基部２１を先端部２２よりも肉厚状としたり、基部２１の内部にのみ金属製の芯線を埋設してもよい。
【００２６】
一方、先端部２２は、食パン１よりも開口部１２に近い側に位置するものであって、基部２１よりも低剛性を有し、折り曲げ易いように構成されている。従って、先端部２２を折り曲げることで、図２、３に示すように、袋体１０の開口部１２を容易に閉じることができる。このように先端部２２の剛性を低減するための具体的構造は任意であるが、ここでは、先端部２２を基部２１よりも狭幅状に形成することで所望の剛性としている。
【００２７】
特に、本実施の形態では、基部２１と先端部２２との相互の境界位置Ｐを、食パン１の上縁近傍位置（開口部１２側の縁部の位置）に合致させているので、先端部２２を基部２１との境界位置Ｐから所定方向に折り曲げることで、食パン１の上方にスペースが形成されない理想的な位置でリブ２０を折り曲げることができる。
【００２８】
さらに本実施の形態では、袋体１０の正面１４外側に挟持タブ３０が固着されている。この挟持タブ３０は、袋体１０の開口端部１３を挿脱自在に挟持するもので、このように挟持することで、袋体１０をリブ２０を用いて折り曲げた状態のまま一層確実に維持することができる。図６は、挟持タブ３０を示す図であり、（ａ）は正面図、（ｂ）は側面図、（ｃ）は（Ａ）のＡ−Ａ矢印断面図である。この挟持タブ３０は、リブ２０と同様に可撓性のある金属や樹脂から形成された１枚の板状に対して打ち抜き加工を施すことで構成されたもので、基板３１と挟持板３２とを一体に備える。基板３１は、正面略方形状に形成され、袋体１０の外側面に接着や溶着によって固着される。挟持板３２は、正面略半円状に形成され、その下端部は基板３１と一体であり、この下端部から中央部に至るにつれて外側に起立されている。この挟持板３２の中央部及び上端部と基板３１との相互間には挟持スペース３３が形成されており、この挟持スペース３３は袋体１０の開口端部１３の厚みよりも若干狭くなるように設定されている。従って、開口端部１３を挟持スペース３３に上方から差し込むことで、開口端部１３が挟持板３２の弾性力によって挟持される。
【００２９】
（効果）
この実施の形態によれば、袋体１０の折り曲げ後の形状にてリブ２０が保持されるので、開口端部１３を閉じるようにリブ２０を折り曲げることで、この閉鎖状態が維持される。特に、リブ２０を袋体１０の隅部に設けたので、対象物の側辺に沿った位置でリブ２０を折り曲げることで、対象物と開口端部１３との間に生じていたスペースを低減できるので、食パン１の劣化を防止できる。また、リブ２０を袋体１０に固着したので、リブ２０を紛失することがなくなり、袋体１０を確実に固定することができる。
【００３０】
また、食パン１の側方には比較的剛性の高い基部２１が配置されているので、食パン１の保存性を一層高めることができる。特に、基部２１と先端部２２との間に剛性差を設けているので、基部２１と先端部２２との境界位置Ｐを支点として先端部２２が折り曲がるため、リブ２０の折り曲げ位置を容易に設定できる。そして、この境界位置Ｐを食パン１の上縁近傍位置とすることで、先端部２２を折り曲げた状態では、食パン１の上縁に袋体１０の開口端部１３を沿わせることができ、食パン１と開口端部１３との間に生じていたスペースを効果的に低減できる。
【００３１】
また、リブ２０を袋体１０の四隅部の各々に設けたので、食パン１が四方から基部２１に囲繞されることになり、袋体１０を折り曲げる場合であっても食パン１が基部２１によって保護されるので、食パン１の保存性を一層高めることができる。
【００３２】
また、袋体１０の開口端部１３を挿脱自在に挟持可能な挟持タブ３０を設けたので、リブ２０を介して折り曲げた袋体１０の状態を挟持タブ３０にて維持でき、食パン１の保存性を一層高めることができる。
【００３３】
さらに、挟持タブ３０は、基板３１と、基板３１から外側に立ち上げられた弾性体であって当該基板３１との間に開口端部１３を挟持可能な挟持板３２とを備えるので、挟持板３２の弾性力を用いて袋体１０の開口端部１３を容易に挟持させることができる。また、袋体１０に固着された基板３１と、挟持板３２とを一体に備えるので、挟持タブ３０を紛失することがなくなり、袋体１０を確実に固定することができる。
【００３４】
〔III〕本実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００３５】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００３６】
（リブ２０について）
リブ２０は、必ずしも袋体１０の四隅部の各々に設ける必要はなく、例えば袋体１０の四隅部の一部にのみ設けてもよい。ただし、四隅部の各々にリブ２０を設けることで、食パン１を一層強固に保護することができる。あるいは、袋体１０の底面１１に沿ってリブ２０を設けることで、袋体１０の底面１１の一部を上方に持ち上げるような状態で、袋体１０を折り曲げ可能としてもよい。
【００３７】
（挟持タブ３０について）
挟持タブ３０は、上記実施の形態では１個のみ設けているが、複数個を上下又は左右に並設してもよい。また挟持タブ３０の具体的形状は、上記実施の形態に示した形状に限定されず、例えば挟持板３２の形状を、開口端部１３に沿った横長板状体としてもよい。
【００３８】
（リブ２０及び挟持タブ３０の配置方向や配置位置について）
リブ２０及び挟持タブ３０の配置方向や配置位置は、袋体１０の開閉方向に対応させてもよい。例えば、図１〜４の例では、食パン１のスライス面に直交する面を正面１４とし、この正面１４に沿う方向でリブ２０を配置すると共にこの正面１４に挟持タブ３０を固定している。しかしながら、スライスされた食パン１が徐々に消費され減ってきた場合には、食パン１の側方（図１〜４における左右方向）に空きスペースが生じ、このスペースを解消したいと考える可能性がある。この場合には、食パン１のスライス面に沿った面を正面とし、この正面に沿う方向でリブ２０を配置すると共にこの正面に挟持タブ３０を固定してもよい。
【産業上の利用可能性】
【００３９】
この発明に係る袋体の開閉構造は、食品の如き対象物を収容する袋体に適用することでき、この袋体の開口端部を開閉自在とすることで、対象物の保存性を高めることに有用である。
【図面の簡単な説明】
【００４０】
【図１】本発明の実施の形態に係る食パンを収容した袋体の販売状態における斜視図である。
【図２】開口部の開放中の状態を示す袋体の斜視図である。
【図３】開口部の閉鎖中の状態を示す袋体の斜視図である。
【図４】開口部の閉鎖後の状態を示す袋体の斜視図である。
【図５】リブを示す図であり、（ａ）は正面図、（ｂ）は側面図である。
【図６】挟持タブを示す図であり、（ａ）は正面図、（ｂ）は側面図、（ｃ）は（Ａ）のＡ−Ａ矢印断面図である。
【符号の説明】
【００４１】
１  食パン
１０  袋体
１１  底面
１２  開口部
１３  開口端部
１４  正面
２０  リブ
２１  基部
２２  先端部
３０  挟持タブ
３１  基板
３２  挟持板
３３  挟持スペース
【図１】
2009179367.tif 000003
【図２】
2009179367.tif 000004
【図３】
2009179367.tif 000005
【図４】
2009179367.tif 000006
【図５】
2009179367.tif 000007
【図６】
2009179367.tif 000008